(57)【要約】【課題】モジュラー化サーバを提供する。【解決手段】モジュラー化サーバ１は、ラック１２、切り換え機構３０および着脱可能電子デバイス２０を有する。ラック１２は、第一スロット１２５および第二スロット１２５ａを有する。切り換え機構３０はラック１２に設置される。着脱可能電子デバイス２０が第一スロット１２５に挿入されるとき、着脱可能電子デバイス２０は、切り換え機構３０を切り換え位置に駆動する。切り換え位置にある切り換え機構３０は、着脱可能電子デバイス２０と異なる別の着脱可能電子デバイス２０が、第二スロット１２５ａに挿入されるのを阻止する。【選択図】図６Ｄ
2018032387.tif 000002
【特許請求の範囲】
【請求項１】
モジュラー化サーバであって、
第一スロットおよび第二スロットを有するラックと、
切り換え機構と、を有し、
前記切り換え機構は、
前記ラックに可動的に設置される切り換え部材と、
前記切り換え部材上に設置されるとともに、前記第一スロット中にまで延伸する第一停止ブロックと、
前記切り換え部材上に設置されるとともに、前記第二スロット中にまで延伸する第二停止ブロックと、
前記ラックおよび前記切り換え部材上に設置され、弾性力を提供することにより、前記切り換え部材、前記第一停止ブロックおよび前記第二停止ブロックを初期位置で維持する弾性部材と、を有し、 
前記第一スロットは、第一着脱可能電子デバイスを受け入れ、前記第一着脱可能電子デバイスは第一ケーシングおよび前記第一ケーシング上に設置される第一制限部材を有し、
前記第一着脱可能電子デバイスが、前記第一スロットに挿入され、且つ、前記第一制限部材が前記第一ケーシングの第一マーク位置に設置されるとき、前記第一制限部材が前記第一停止ブロックを押して、前記切り換え部材、前記第一停止ブロックおよび前記第二停止ブロックを第一切り換え位置に移動させ、
前記第一着脱可能電子デバイスが、前記第一スロットに挿入され、且つ、前記第一制限部材が前記第一ケーシングの第二マーク位置に設置されるとき、前記第一制限部材が前記第一停止ブロックを押して、前記切り換え部材、前記第一停止ブロックおよび前記第二停止ブロックを第二切り換え位置に移動させ、
前記第一切り換え位置と前記第二切り換え位置とが異なることを特徴とするモジュラー化サーバ。
【請求項２】
前記第二スロットは、第二着脱可能電子デバイスを受け入れ、前記第二着脱可能電子デバイスは第二ケーシングおよび前記第二ケーシング上に設置される第二制限部材を有し、
前記第二停止ブロックが前記第一切り換え位置に位置し、且つ、前記第二制限部材が前記第二ケーシングの第一マーク位置に位置するとき、前記切り換え機構は、前記第二着脱可能電子デバイスを前記第二スロットに挿入し、
前記第二停止ブロックが前記第一切り換え位置に位置し、且つ、前記第二制限部材が前記第二ケーシングの第二マーク位置に位置するとき、前記第二停止ブロックは、前記第二着脱可能電子デバイスが前記第二スロットに挿入されるのを阻止することを特徴とする請求項１に記載のモジュラー化サーバ。
【請求項３】
前記第二停止ブロックが前記第二切り換え位置に位置し、前記第二制限部材が前記第二ケーシングの前記第二マーク位置に位置するとき、前記切り換え機構は、前記第二着脱可能電子デバイスが前記第二スロットに挿入されるようにし、
前記第二停止ブロックが前記第二切り換え位置に位置し、前記第二制限部材が前記第二ケーシングの前記第一マーク位置に位置するとき、前記第二停止ブロックは、前記第二着脱可能電子デバイスが前記第二スロットに挿入されるのを阻止することを特徴とする請求項２に記載のモジュラー化サーバ。
【請求項４】
前記第一ケーシングの構造および寸法は、前記第二ケーシングの構造および寸法とほぼ同じであり、
前記第一制限部材の構造および寸法は、前記第二制限部材の構造および寸法とほぼ同じであることを特徴とする請求項２に記載のモジュラー化サーバ。
【請求項５】
前記第一着脱可能電子デバイスが前記第一スロットから取り外されるとき、前記弾性部材は、前記切り換え部材、前記第一停止ブロックおよび前記第二停止ブロックのそれぞれを初期位置に復位させることを特徴とする請求項１に記載のモジュラー化サーバ。
【請求項６】
前記第一ケーシングはスライディング溝を有し、
前記ラックはガイド方向に延伸するスライディングレールを有し、
前記第一着脱可能電子デバイスが前記第一スロットに挿入されるとき、前記スライディングレールは前記スライディング溝に位置し、且つ、前記第一着脱可能電子デバイスを前記ガイド方向に沿って移動するように導くことを特徴とする請求項１に記載のモジュラー化サーバ。
【請求項７】
前記第一ケーシングはガイド方向に延伸する収容溝を有し、
前記第一制限部材は前記収容溝に位置するとともに、前記ガイド方向に延伸し、
前記第一着脱可能電子デバイスが前記第一スロットに挿入されるとき、前記第一ケーシングは前記ガイド方向に沿って移動するとともに、前記第一停止ブロックは前記収容溝に位置することを特徴とする請求項１に記載のモジュラー化サーバ。
【請求項８】
前記第一制限部材は、前記第一制限部材の一端に位置する傾斜面および前記傾斜面に接続される側面を有し、
前記傾斜面は前記側面に対して傾斜し、
前記側面はガイド方向に延伸し、
前記第一着脱可能電子デバイスが前記第一スロットに挿入されるとき、前記傾斜面は前記第一停止ブロックを押して、前記第一停止ブロックの初期位置から前記第一切り換え位置に移動させ、前記第一停止ブロックは前記傾斜面に沿って前記側面にスライドすることを特徴とする請求項１に記載のモジュラー化サーバ。
【請求項９】
前記ラックはさらに上プレートを有し、
前記上プレートは第一スルーホールおよび第二スルーホールを有し、
前記切り換え部材は前記上プレートに位置し、
前記第一停止ブロックは前記第一スルーホールを貫通して前記第一スロットに到達し、
前記第二停止ブロックは前記第二スルーホールを貫通して前記第二スロットに到達することを特徴とする請求項１に記載のモジュラー化サーバ。
【請求項１０】
前記第一スロット中に位置する主電気コネクタをさらに有し、
前記第一着脱可能電子デバイスはさらに、前記第一ケーシング上に設置される電気コネクタを有し、
前記第一着脱可能電子デバイスが前記第一スロットに挿入されるとき、前記電気コネクタは前記主電気コネクタに挿入されることを特徴とする請求項１に記載のモジュラー化サーバ。
【発明の詳細な説明】
【技術分野】
【０００１】
本発明は、サーバに関するものであって、特に、モジュラー化サーバに関するものである。
【背景技術】
【０００２】
サーバ、例えばネットワークサーバあるいはデータベースの迅速な修復とアップデートを促進するため、モジュール分割機能がサーバ上に設計されている。サーバが故障したとき、サーバの修復をサーバ中の損傷したモジュールを代替するのみで加速できる。サーバをアップグレードするときは、サーバ中の関連モジュールを代替することにより迅速にアップグレードが行われる。
【０００３】
ところで、モジュラー化サーバの製造コストを節約するため、各モジュールは同じケーシングで設計され、そして、異なる設計のモジュールが同じサーバに挿入される可能性がある。しかし、異なる設計のモジュールがサーバに挿入されるとき、サーバにダメージが生じるおそれがある。
【発明の概要】
【発明が解決しようとする課題】
【０００４】
従来の欠点を改善するため、本発明は、ユーザーがサーバの規格に符合しない電子デバイスをサーバに挿入するのを防止し、これによりサーバにダメージを与えるのを防止するモジュラー化サーバを提供する。
【課題を解決するための手段】
【０００５】
本発明は、ラック、切り換え機構、および第一着脱可能電子デバイスを有するモジュラー化サーバを提供する。ラックは、第一スロットおよび第二スロットを有する。切り換え機構は、切り換え部材、第一停止ブロック、第二停止ブロック、弾性部材、第一ケーシングおよび第一制限部材を有する。切り換え部材は、移動可能な方式でラックに設置される。第一停止ブロックは切り換え部材上に設置されるとともに、第一スロット中まで延伸する。
【０００６】
第二停止ブロックは、切り換え部材上に設置され、且つ第二スロット中に延伸する。弾性部材は、ラックと切り換え部材に設置され、弾性力を提供して切り換え部材、第一停止ブロックおよび第二停止ブロックを初期位置で維持する。第一着脱可能電子デバイスは、第一スロットに挿入され、第一ケーシング、および第一ケーシング上に位置する第一制限部材を有する。
【０００７】
第一着脱可能電子デバイスが第一スロットに挿入され、且つ第一制限部材が第一ケーシング上の第一マーク位置に設置されるとき、第一制限部材は第一停止ブロックを押して、切り換え部材、第一停止ブロックおよび第二停止ブロックは第一切り換え位置に移動する。
【０００８】
第一着脱可能電子デバイスが第一スロットに挿入され、且つ第一制限部材が第一ケーシング上の第二マーク位置に設置されるとき、第一制限部材は第一停止ブロックを押して、切り換え部材、第一停止ブロックおよび第二停止ブロックは第二切り換え位置に移動する。
【０００９】
いくつかの実施形態において、モジュラー化サーバは、さらに、第二着脱可能電子デバイスを有する。第二着脱可能電子デバイスは、第二ケーシング、および第二ケーシング上に設置される第二制限部材を有する。第二停止ブロックが第一切り換え位置に位置するとともに、第二制限部材が第二ケーシング上の第一マーク位置に位置するとき、切り換え機構は、第二着脱可能電子デバイスが第二スロットに挿入できるようにする。第二停止ブロックが第一切り換え位置に位置するとともに、第二制限部材が第二ケーシングの第二マーク位置に位置するとき、第二停止ブロックは、第二着脱可能電子デバイスが第二スロットに挿入されるのを阻止する。
【００１０】
第二停止ブロックが第二切り換え位置に位置するとともに、第二制限部材が第二ケーシングの第二マーク位置に位置するとき、切り換え機構は、第二着脱可能電子デバイスが第二スロットに挿入できるようにする。第二停止ブロックが第二切り換え位置に位置するとともに、第二制限部材が第二ケーシング上の第一マーク位置に位置するとき、第二停止ブロックは、第二着脱可能電子デバイスが第二スロットに挿入されるのを阻止する。
【００１１】
いくつかの実施形態において、第一ケーシングの構造および寸法は、第二ケーシングの構造と等しいか、あるいはほぼ等しく、第一制限部材の構造および寸法は、第二制限部材と同じか、あるいはほぼ同じである。
【００１２】
いくつかの実施形態において、第一着脱可能電子デバイスが第一スロットから取り外されるとき、弾性部材は、切り換え部材、第一停止ブロックおよび第二停止ブロックを初期位置に復位させる。
【００１３】
いくつかの実施形態において、第一ケーシングはスライディング溝を有し、ラックはガイド方向に延伸するスライディングレールを有する。第一着脱可能電子デバイスが第一スロットに挿入されるとき、スライディングレールはスライディング溝に位置し、且つ第一着脱可能電子デバイスを導いてガイド方向に移動させる。
【００１４】
いくつかの実施形態において、第一ケーシングはガイド方向に延伸する収容溝を有し、第一制限部材は収容溝に位置するとともにガイド方向に延伸する。第一着脱可能電子デバイスが第一スロットに挿入されるとき、第一ケーシングはガイド方向に移動するとともに、第一停止ブロックは収容溝に位置する。
【００１５】
いくつかの実施形態において、第一制限部材は、第一制限部材の一端に位置する傾斜面、および傾斜面に接続される側面を有し、傾斜面は側面に対して傾斜し、側面はガイド方向に延伸する。第一着脱可能電子デバイスが第一スロットに挿入されるとき、傾斜面が第一停止ブロックを押して初期位置から第一切り換え位置に移動させるとともに、第一停止ブロックが傾斜面に沿って側面にスライドする。
【００１６】
いくつかの実施形態において、ラックは、さらに、上プレートを有し、上プレートは、第一スルーホールおよび第二スルーホールを有し、切り換え部材は上プレートに位置し、第一停止ブロックが第一スルーホールを通過して第一スロットに到達し、第二停止ブロックが第二スルーホールを通過して第二スロットに到達する。
【００１７】
いくつかの実施形態において、弾性部材はばねであり、弾性部材の二端は、それぞれ、上プレートおよび切り換え部材に固定される。
【００１８】
いくつかの実施形態において、ラックは第一スロットと第二スロットの間のスペーサ板を有する。
【００１９】
いくつかの実施形態において、モジュラー化サーバはさらに第一スロット中に位置する主電気コネクタを有し、第一着脱可能電子デバイスはさらに第一ケーシング上に設置される電気コネクタを有し、且つ、第一着脱可能電子デバイスが第一スロットに挿入されるとき、電気コネクタは主電気コネクタに挿入される。
【発明の効果】
【００２０】
本発明のモジュラー化サーバは、切り換え機構を用いて、異なる規格の着脱可能電子デバイスがモジュラー化サーバに搭載されるのを阻止し、これにより、ユーザーによる誤った操作によりモジュラー化サーバがダメージを受けるのを防止することができる。
【図面の簡単な説明】
【００２１】
【図１】本発明のいくつかの実施形態によるモジュラー化サーバの立体図である。
【図２】本発明のいくつかの実施形態によるホストの正面図である。
【図３】本発明のいくつかの実施形態によるホストの上面図である。
【図４】本発明による着脱可能電子デバイスの立体図である。
【図５】本発明のいくつかの実施形態による着脱可能電子デバイスの分解図である。
【図６Ａ】本発明のいくつかの実施形態による取り付け工程の中間段階のモジュラー化サーバの概略図である。
【図６Ｂ】本発明のいくつかの実施形態による取り付け工程の中間段階のモジュラー化サーバの概略図である。
【図６Ｃ】本発明のいくつかの実施形態による取り付け工程の中間段階のモジュラー化サーバの概略図である。
【図６Ｄ】本発明のいくつかの実施形態による取り付け工程の中間段階のモジュラー化サーバの概略図である。
【図７Ａ】本発明のいくつかの実施形態による取り付け工程の中間段階のモジュラー化サーバの概略図である。
【図７Ｂ】本発明のいくつかの実施形態による取り付け工程の中間段階のモジュラー化サーバの概略図である。
【図７Ｃ】本発明のいくつかの実施形態による取り付け工程の中間段階のモジュラー化サーバの概略図である。
【図７Ｄ】本発明のいくつかの実施形態による取り付け工程の中間段階のモジュラー化サーバの概略図である。
【発明を実施するための形態】
【００２２】
以下の説明は、本発明の異なる特徴を実施する、異なる実施形態あるいは例を提供する。特定の実施形態で記述される部材および配置は、本発明を簡単に説明するための例として用いられており、本発明を限定するものではない。例えば、第一特徴が第二特徴上、あるいは上方にあるとの構造の描写は、第一特徴と第二特徴とが直接接触する状況も、別の特徴が第一特徴と第二特徴との間に設置され、第一特徴および第二特徴が直接接触しない状況も含む。
【００２３】
このほか、同じ参照符号および／または語句が、この明細書の異なる実施形態で用いられるが、これは、説明を簡潔且つ明確にするためであり、異なる実施形態および設定が必然的に関連することを示すものではない。
【００２４】
この明細書中の“第一”および“第二”という用語は説明のためのものであり、本発明の範囲に対応する、あるいは範囲を制限するものではない。さらに、“第一特徴”と“第二特”という用語は、第一特徴と第二特徴が同じである、あるいは異なる特徴であることを限定するものではない。
【００２５】
関連する空間用語、たとえば、“上方”あるいは“下方”は、図面中の一部材、あるいは、特徴のもう一つの部材、あるいは、特徴に対する関係を記述するために用いられる。図面で記述される方向に加え、装置は、異なる方向で使用あるいは操作されてもよい。
【００２６】
図面中の形状、寸法、厚さ、傾斜角は、説明を明確にする目的のためのものであり、正しい比例で描かれていないかもしれず、あるいは説明のために簡潔にされて提供されている。
【００２７】
図１は、本発明によるモジュラー化サーバ１の立体図である。モジュラー化サーバ１は、ネットワークサーバ、データベース、あるいはコンピュータである。モジュラー化サーバ１は、ホスト１０、および複数の着脱可能電子デバイス２０を有する。着脱可能電子デバイス２０はホスト１０に挿入される。
【００２８】
着脱可能電子デバイス２０は、ネットワーク装置、ストレージデバイス、あるいは処理装置である。ネットワーク装置は電子部品、例えばネットワーク処理チップ、メモリおよび回路板を有し、ネットワークデータを処理する。ストレージデバイスはハードディスクドライブを有し、データを保存し、収集し、あるいは読み取る。処理装置は電子部品、例えば中央処理チップ、メモリおよび主回路基板を有し、各種操作を実行する。
【００２９】
たとえば、この実施形態において、モジュラー化サーバ１はネットワークサーバであり、着脱可能電子デバイス２０はそれぞれネットワーク装置である。
【００３０】
着脱可能電子デバイス２０の一つが故障したとき、モジュラー化サーバ１の修復は、故障した着脱可能電子デバイス２０を代替するのみで加速できる。モジュラー化サーバ１をアップグレードするとき、アップグレードは、着脱可能電子デバイス２０を代替することにより快速に行われる。
【００３１】
図２は、本発明によるホスト１０の正面図であり、図３は、本発明によるホスト１０の上面図である。ハウジング１１は図２で示されていない。ホスト１０は、ハウジング１１、ラック１２および複数の主電気コネクタ１３を有する。ハウジング１１は金属ケーシングであり、ハウジング１１中の電子部品を保護する。ラック１２はハウジング１１中に設置され、着脱可能電子デバイス２０は、ラック１２に搭載される。
【００３２】
この実施形態において、ラック１２は、底プレート１２１、複数の側壁１２２、上プレート１２３、複数のスペーサ板１２４、搭載プレート１２７および複数のスライディングレール１２６を有する。底プレート１２１および上プレート１２３は互いに隔てられ、且つ底プレート１２１と上プレート１２３とはほぼ平行である。側壁１２２は、底プレート１２１および側壁１２２に接続される。各二個の側壁１２２は、互いに隔てられ、且つほぼ平行である。
【００３３】
この実施形態において、スペーサ板１２４は固定して、あるいは着脱可能な方式で、底プレート１２１上に設置される。スペーサ板１２４は、それぞれ各二個の側壁１２２間に位置し、且つ側壁１２２とほぼ平行である。図２と図３に示されるように、複数のスロット１２５はスペーサ板１２４と側壁１２２との間や、スペーサ板１２４間に形成される。つまり、スペーサ板１２４は、それぞれ各二個の隣接するスロット１２５間に位置する。スペーサ板１２４はラック１２中に挿入される着脱可能電子デバイス２０の位置を制限にするのに用いられる。
【００３４】
スライディングレール１２６は、上プレート１２３および底プレート１２１上に設置される。スライディングレール１２６は帯状の構造から構成され、且つガイド方向Ｄ１で延伸する(図３に示される)。各スロット１２５は、複数のスライディングレール１２６を有する。この実施形態において、各スロット１２５は４個のスライディングレール１２６を有し、そのうちの二個のスライディングレール１２６が上プレート１２３に設置され、残りの二個が底プレート１２１に設置される。
【００３５】
搭載プレート１２７は、底プレート１２１と上プレート１２３との間に位置し、且つ底プレート１２１と上プレート１２３にほぼ垂直である。いくつかの実施形態において、搭載プレート１２７は側壁１２２に搭載され、搭載プレート１２７の安定性を増加させる。
【００３６】
主電気コネクタ１３は、搭載プレート１２７に設置される。いくつかの実施形態において、主電気コネクタ１３は搭載プレート１２７を貫通する。いくつかの実施形態において、搭載プレート１２７は回路板であり、主電気コネクタ１３は搭載プレート１２７に電気的に接続される。
【００３７】
この実施形態において、各スロット１２５は一つの主電気コネクタ１３を有し、各スロット１２５中の主電気コネクタ１３は同じ位置に設置され、且つ同じ規格と寸法を有する。いくつかの実施形態において、各スロット１２５は複数の主電気コネクタ１３を有する。各スロット１２５中の主電気コネクタ１３は異なる規格と寸法を有する。
【００３８】
図２と図３に示されるように、モジュラー化サーバ１はさらに切り換え機構３０を有する。切り換え機構３０はラック１２上に設置される。切り換え機構３０は、切り換え部材３１、複数の停止ブロック３２、および、弾性部材３３を有する。切り換え部材３１は、移動可能な方式でラック１２の上プレート１２３上に設置される。切り換え部材３１は帯状のプレート構造で構成され、且つ切り換え方向Ｄ２に延伸する。切り換え方向Ｄ２は、ガイド方向Ｄ１に垂直であるか、ほぼ垂直である。
【００３９】
停止ブロック３２は、切り換え部材３１上に設置される。この実施形態において、停止ブロック３２は間隔をあけて切り換え部材３１上に配列され、停止ブロック３２は切り換え部材３１に直接固定される。上プレート１２３は複数のスルーホール１２３１を有する。停止ブロック３２は、それぞれスルーホール１２３１を通過するとともに、スロット１２５中に延伸する。この実施形態において、停止ブロック３２は切り換え方向Ｄ２に垂直に延伸する。
【００４０】
弾性部材３３は、ラック１２と切り換え部材３１に設置される。いくつかの実施形態において、弾性部材３３はばねである。各弾性部材３３の二端は、それぞれ上プレート１２３と切り換え部材３１とに固定され、且つ二個の弾性部材３３は、それぞれ切り換え部材３１の二端に固定される。これにより、二個の弾性部材３３は弾性力を提供し、切り換え部材３１および停止ブロック３２を、図２と図３に示される初期位置で維持する。
【００４１】
図２と図３に示されるように、切り換え方向Ｄ２で、各停止ブロック３２は対応するスルーホール１２３１の中心に位置し、スルーホール１２３１は切り換え方向Ｄ２に延伸する。これにより、スルーホール１２３１は、切り換え部材３１および停止ブロック３２を、切り換え方向Ｄ２に沿って移動するように制限する。
【００４２】
図４は、本発明による着脱可能電子デバイス２０の立体図である。図５は、本発明による着脱可能電子デバイス２０の分解図である。着脱可能電子デバイス２０はスロット１２５に挿入される。着脱可能電子デバイス２０は、ケーシング２１、制限部材２２、複数の電子部品２３および電気コネクタ２４を有する。
【００４３】
ケーシング２１は、複数のスライディング溝２１１および収容溝２１２を有する。スライディング溝２１１は、ケーシング２１の頂部と底部に位置する。この実施形態において、二個のスライディング溝２１１はケーシング２１の頂部に位置し、二個のスライディング溝２１１はケーシング２１底部に位置する。収容溝２１２は、ケーシング２１の頂部上の二個のスライディング溝２１１間に位置する。スライディング溝２１１および収容溝２１２はガイド方向Ｄ１に延伸する。つまり、スライディング溝２１１と収容溝２１２とは、互いに平行である。
【００４４】
制限部材２２はケーシング２１上に設置される。この実施形態において、制限部材２２は収容溝２１２中に位置する。制限部材２２は、帯状のプレート構造であり、且つガイド方向Ｄ１で延伸する。制限部材２２の幅は収容溝２１２の幅より大きい。この実施形態において、制限部材２２の幅は収容溝２１２の約二倍である。制限部材２２の幅および収容溝２１２の幅は、ガイド方向Ｄ１の垂直な方向で測定される。
【００４５】
いくつかの実施形態において、制限部材２２は、着脱可能な方式でケーシング２１に設置される。例えば制限部材２２は、バックルで留めるか、あるいはロックする方式で、ケーシング２１上に設置される。一方、制限部材２２は、選択的に、収容溝２１２中の第一マーク位置あるいは第二マーク位置に位置する。図４に示されるように、制限部材２２は収容溝２１２中の第一マーク位置に位置する。
【００４６】
電子部品２３は、ケーシング２１中に設置される。電気コネクタ２４は、ケーシング２１の後ろ側に設置され、且つ電子部品２３に電気的に接続される。いくつかの実施形態において、着脱可能電子デバイス２０は、複数の電気コネクタ２４を有する。電気コネクタ２４の数量と位置は、各スロット１２５中の主電気コネクタ１３の数量と位置に対応する。
【００４７】
図６Ａ〜図６Ｄは、本発明による取り付け工程の中間段階のモジュラー化サーバ１の概略図である。図６Ａに示されるように、着脱可能電子デバイス２０は、ガイド方向Ｄ１で、スロット１２５に挿入される。
【００４８】
制限部材２２は、傾斜面２２１および側面２２２を有する。傾斜面２２１は、制限部材２２の一端に位置し、且つ側面２２２に対して傾斜する。着脱可能な電子デバイス２０が、ガイド方向Ｄ１に沿ってスロット１２５に挿入されるとき、制限部材２２の傾斜面２２１を有する一端は搭載プレート１２７あるいはスロット１２５に面する。
【００４９】
側面２２２は、傾斜面２２１に接続されるとともに、ガイド方向Ｄ１で延伸する。このとき制限部材２２は、図６Ａに示されるように、収容溝２１２中の第一マーク位置に位置する。第一マーク位置は図６Ａ中の収容溝２１２の左半分に位置する。制限部材２２は、収容溝２１２の第一側壁２１２１に接触するか、あるいは隣接し、且つ収容溝２１２の第二側壁２１２２から離れている。
【００５０】
制限部材２２は、着脱可能な方式で収容溝２１２中の第二マーク位置に位置する。制限部材２２が第二マーク位置に位置するとき、制限部材２２は１８０度回転し、つまり、ガイド方向Ｄ１に延伸する縦軸ＡＸ１を軸として１８０度回転する。いくつかの実施形態において、縦軸ＡＸ１は縦方向で収容溝２１２の中心に位置する。第二マーク位置は、図６Ａの収容溝２１２の右半分に位置する。制限部材２２は、収容溝２１２の第二側壁２１２２に接触するか、あるいは隣接し、且つ収容溝２１２の第一側壁２１２１から離れている。
【００５１】
いくつかの実施形態において、第一マーク位置の制限部材２２は、縦軸ＡＸ１と第一側壁２１２１との間に位置する。第二マーク位置の制限部材２２は、縦軸ＡＸ１と第二側壁２１２２との間に位置する。
【００５２】
図６Ａにおいて、切り換え部材３１は停止ブロック３２を押さないので、切り換え機構３０は初期位置に位置する。いくつかの実施形態において、停止ブロック３２は縦軸ＡＸ１に位置する。
【００５３】
図６Ｂにおいて、着脱可能電子デバイス２０が連続してガイド方向Ｄ１に移動するとき、傾斜面２２１が停止ブロック３２を押して初期位置から第一切り換え位置に移動させるとともに、停止ブロック３２は傾斜面２２１に沿って側面２２２にスライドする。
【００５４】
図６Ｂに示されるように、停止ブロック３２の直径は、制限部材２２の幅とほぼ等しく、且つ収容溝２１２の幅の約半分である。上述の直径と幅は切り換え方向Ｄ２で測定される。これにより、停止ブロック３２は収容溝２１２の第二側壁２１２２と制限部材２２との間の一位置に移動する。
【００５５】
一方、着脱可能電子デバイス２０が、スロット１２５に挿入されるとき、スライディングレール１２６はスライディング溝２１１中に位置し、且つ着脱可能電子デバイス２０をガイド方向Ｄ１で移動するように制限する。ケーシング２１はガイド方向Ｄ１で移動するとともに、停止ブロック３２は収容溝２１２中に位置する。着脱可能電子デバイス２０がスロット１２５に挿入されるとき、電気コネクタ２４は主電気コネクタ１３に挿入される。
【００５６】
この実施形態においては、停止ブロック３２が第一切り換え位置に移動するので、切り換え部材３１と残りの停止ブロック３２は第二切り換え位置に移動する。
【００５７】
図６Ｃに示されるように、別の着脱可能電子デバイス２０ａが、スロット１２５ａに挿入される。着脱可能電子デバイス２０ａは、ケーシング２１ａおよび制限部材２２ａを有する。制限部材２２ａはケーシング２１ａ上に設置される。ケーシング２１の構造と寸法は、ケーシング２１ａの構造に等しいか、あるいはほぼ等しく、制限部材２２の構造および寸法は、制限部材２２ａに等しいか、あるいはほぼ等しい。
【００５８】
図６Ｃに示されるように、停止ブロック３２ａは第一切り換え位置に位置し、制限部材２２ａはケーシング２１ａの第一マーク位置に位置することで、切り換え機構３０は、着脱可能電子デバイス２０ａをスロット１２５ａに挿入できるようにする。
【００５９】
図６Ｄに示されるように、停止ブロック３２ａは第一切り換え位置に位置し、制限部材２２ａはケーシング２１ａの第二マーク位置に位置することで、停止ブロック３２ａは、着脱可能電子デバイス２０ａがスロット１２５ａに挿入されるのを阻止する。
【００６０】
着脱可能電子デバイス２０をスロット１２５に挿入することにより、切り換え機構３０が、第一切り換え位置に移動する。これにより、切り換え機構３０は、第一マーク位置に位置する制限部材２２ａを有する着脱可能電子デバイス２０ａだけが、スロット１２５ａに挿入されるようにする。着脱可能電子デバイス２０ａの制限部材２２ａが第一マーク位置と異なる第二マーク位置に位置するとき、切り換え機構３０は、着脱可能電子デバイス２０ａがスロット１２５ａに挿入されるのを阻止して、規格に適合しない着脱可能電子デバイス２０ａがスロット１２５ａに挿入されるのを防止する。これにより、モジュラー化サーバ１は、フールプルーフ機能を有して、ユーザーの操作ミスによりモジュラー化サーバ１がダメージを受けるのを防止する。
【００６１】
さらに、着脱可能電子デバイス２０がスロット１２５から取り外されるとき、弾性部材３３は、切り換え部材３１と停止ブロック３２を初期位置に復位させる（図６Ａに示される）。
【００６２】
図７Ａおよび図７Ｂは、本発明による取り付け工程の中間段階のモジュラー化サーバ１の概略図である。図７Ａに示されるように、着脱可能電子デバイス２０はスロット１２５に挿入され、制限部材２２はケーシング２１の第二マーク位置に設置される。第二マーク位置は図７Ａの収容溝２１２の右半分に位置する。制限部材２２は停止ブロック３２を押して、切り換え部材３１、停止ブロック３２および停止ブロック３２ａが第二切り換え位置に移動する。
【００６３】
着脱可能電子デバイス２０ａの制限部材２２ａはケーシング２１ａの第二マーク位置に位置し、切り換え機構３０は、着脱可能電子デバイス２０ａがスロット１２５ａに挿入できるようにする。
【００６４】
図７Ｂに示されるように、着脱可能電子デバイス２０がスロット１２５に挿入され、制限部材２２はケーシング２１の第二マーク位置に設置される。着脱可能電子デバイス２０ａの制限部材２２ａはケーシング２１ａの第一マーク位置に位置し、切り換え機構３０は、着脱可能電子デバイス２０ａがスロット１２５ａに挿入されるのを阻止する。
【００６５】
着脱可能電子デバイス２０をスロット１２５に挿入することにより、切り換え機構３０が第二切り換え位置に移動する。これにより、切り換え機構３０は、第二マーク位置に位置する制限部材２２ａを有する着脱可能電子デバイス２０ａだけがスロット１２５ａに挿入されるようにする。着脱可能電子デバイス２０ａの制限部材２２ａが第二マーク位置と異なる第一マーク位置に位置するとき、切り換え機構３０は、着脱可能電子デバイス２０ａがスロット１２５ａに挿入されるのを阻止して、規格に適合しない着脱可能電子デバイス２０ａがスロット１２５ａに挿入されるのを防止する。これにより、モジュラー化サーバ１はフールプルーフ機能を有し、ユーザーの誤った操作によってモジュラー化サーバ１がダメージを受けるのを防止する。
【００６６】
総合すると、本発明のモジュラー化サーバによると、切り換え機構が用いられて、異なる規格の着脱可能電子デバイスがモジュラー化サーバに装着されるのを阻止し、これにより、ユーザーの間違った操作によりモジュラー化サーバがダメージを受けるのを防止する。
【００６７】
図７Ｃおよび図７Ｄは、本発明による取り付け工程の中間段階のモジュラー化サーバ１の概略図である。図７Ｃにおいては切り換え部材３１は手動制御され、図７Ａと図７Ｂに示されている弾性部材３３がない。図７Ｄにおいては切り換え部材３１が用いられて、二種以上の着脱可能電子デバイス２０間を切り換える。たとえば、制限部材が第一位置に位置するとき、切り換え部材３１はＡタイプおよびＢタイプの着脱可能電子デバイス２０が挿入されるようにし、制限部材が第二位置に位置するとき、ＣタイプおよびＤタイプの着脱可能電子デバイス２０が挿入されるようにする。
【００６８】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【符号の説明】
【００６９】
１…モジュラー化サーバ
１０…ホスト
１１…ハウジング
１２…ラック
１２１…底板
１２２…側壁
１２３…上プレート
１２３１…スルーホール
１２４…スペーサ板
１２５、１２５ａ…スロット
１２６…スライディングレール
１２７…搭載プレート
１３…主電気コネクタ
２０、２０ａ…着脱可能電子デバイス
２１、２１ａ…ケーシング
２１１…スライディング溝
２１２、２１２ａ…収容溝
２１２１…第一側壁
２１２２…第二側壁
２２、２２ａ…制限部材
２２１…傾斜面
２２２…側面
２３…電子部品
２４…電気コネクタ
３０…切り換え機構
３１…切り換え部材
３２、３２ａ…停止ブロック
３３…弾性部材
Ｄ１…ガイド方向
Ｄ２…切り換え方向
ＡＸ１…縦軸
【図１】
2018032387.tif 000003
【図２】
2018032387.tif 000004
【図３】
2018032387.tif 000005
【図４】
2018032387.tif 000006
【図５】
2018032387.tif 000007
【図６Ａ】
2018032387.tif 000008
【図６Ｂ】
2018032387.tif 000009
【図６Ｃ】
2018032387.tif 000010
【図６Ｄ】
2018032387.tif 000011
【図７Ａ】
2018032387.tif 000012
【図７Ｂ】
2018032387.tif 000013
【図７Ｃ】
2018032387.tif 000014
【図７Ｄ】
2018032387.tif 000015